(57)【要約】【課題】通信設定対象である照明器具に確実に通信設定を行うことができる設定機等を提供する。【解決手段】設定機９０は、複数の照明器具Ｌのうち通信設定対象である照明器具（例えば照明器具Ｌ１１）と通信する通信部９０ａと、複数の照明器具Ｌのレイアウト情報を表示する表示部９０ｄと、屋内における設定機９０の移動方向および移動量を検出する検出部９０ｅと、設定機９０の移動方向および移動量に基づいて導き出された設定機９０の位置を、レイアウト情報とともに表示部９０ｄに表示させる制御部９０ｃと、を備える。制御部９０ｃは、設定機９０の位置が通信設定対象である照明器具Ｌ１１の設置位置を基準として規定範囲Ｔ１内にあるか否かを判断し、設定機９０の位置が規定範囲Ｔ１内にある場合に、通信部９０ａを介して通信設定対象である照明器具に通信設定を行う。【選択図】図３Ｃ
2019114335.tif 000002
【特許請求の範囲】
【請求項１】
屋内に設置された複数の照明器具に通信設定を行う設定機であって、
前記複数の照明器具のうち通信設定対象である照明器具と通信する通信部と、
前記複数の照明器具のレイアウト情報を表示する表示部と、
前記屋内における前記設定機の移動方向および移動量を検出する検出部と、
前記設定機の移動方向および移動量に基づいて導き出された前記設定機の位置を、前記レイアウト情報とともに前記表示部に表示させる制御部と、
を備え、
前記制御部は、前記設定機の位置が前記通信設定対象である照明器具の設置位置を基準として規定範囲内にあるか否かを判断し、前記設定機の位置が前記規定範囲内にある場合に、前記通信部を介して前記通信設定対象である照明器具に前記通信設定を行う
設定機。
【請求項２】
前記制御部は、前記通信部を介して前記通信設定対象である照明器具に、当該照明器具を制御する照明コントローラの通信アドレスを送信し、かつ、前記レイアウト情報に対応した当該照明器具の識別情報を送信することで、前記通信設定を行う
請求項１に記載の設定機。
【請求項３】
前記通信設定が可能な位置であることを通知する通知部を備え、
前記制御部は、前記設定機の位置が前記規定範囲内にある場合において、前記通信設定を行う前に、前記通知部に前記通信設定が可能な位置であることを通知させる
請求項１または２に記載の設定機。
【請求項４】
前記制御部は、前記設定機の位置が前記規定範囲内にある場合において、前記通信設定を行う前に、前記通知部に発光、振動および発音のうち少なくとも一つを行わせる
請求項３に記載の設定機。
【請求項５】
前記通知部は、前記表示部に含まれ、
前記制御部は、前記設定機の位置が前記規定範囲内にある場合において、前記通信設定を行う前に、前記通知部に所定のメッセージを表示させる
請求項３に記載の設定機。
【請求項６】
前記通知部は、前記表示部に含まれ、
前記制御部は、前記設定機の位置が前記規定範囲内にある場合において、前記通信設定を行う前に、前記通知部における前記通信設定対象である照明器具に対応する表示を他の前記照明器具に対応する表示と異ならせる
請求項３に記載の設定機。
【請求項７】
前記通知部は、バイブレータであり、
前記制御部は、前記設定機の位置が前記規定範囲内にある場合において、前記通信設定を行う前に、前記バイブレータを振動させる
請求項３に記載の設定機。
【請求項８】
前記通知部は、スピーカであり、
前記制御部は、前記設定機の位置が前記規定範囲内にある場合において、前記通信設定を行う前に、前記スピーカから音を出力させる
請求項３に記載の設定機。
【請求項９】
前記制御部は、前記設定機の位置が前記規定範囲内にある場合において、前記通信設定を行う前に、前記表示部に前記通信設定を行う設定入力部を表示させ、前記設定入力部を介して前記通信設定に関する入力を受け付けた後、前記通信設定を行う
請求項１〜８のいずれか１項に記載の設定機。
【請求項１０】
前記制御部は、前記設定機の位置が前記規定範囲内にある場合に、自動で、前記通信設定を行う
請求項１または２に記載の設定機。
【請求項１１】
前記通信部は、指向性を有する通信を用いて前記通信設定対象である照明器具と通信する
請求項１〜１０のいずれか１項に記載の設定機。
【請求項１２】
前記制御部は、前記設定機の移動方向および移動量に基づいて、前記設定機の移動軌跡および前記設定機が向いている方角を前記表示部に表示させる
請求項１〜１１のいずれか１項に記載の設定機。
【請求項１３】
前記検出部は、前記移動方向を検出するための磁気センサ、および、前記移動量を検出するための加速度センサを含む
請求項１〜１２のいずれか１項に記載の設定機。
【請求項１４】
前記屋内における前記設定機の位置を入力する位置入力部をさらに備え、
前記制御部は、前記位置入力部にて入力された前記位置を前記設定機の移動基準とし、
前記検出部は、前記移動基準からの前記設定機の移動量を検出する
請求項１〜１３のいずれか１項に記載の設定機。
【請求項１５】
前記制御部は、前記設定機の位置が前記規定範囲内にある場合に、前記表示部に、前記設定機の移動基準を補正する補正入力部を表示させる
請求項１４に記載の設定機。
【請求項１６】
前記制御部は、前記通信設定を終え、さらに、前記通信設定対象である照明器具から通信設定の終了通知を受け取った後、前記設定機の移動基準を自動で補正する
請求項１４に記載の設定機。
【請求項１７】
前記制御部は、前記通信設定を開始してから一定時間経過した後、前記設定機の移動基準の補正を促すメッセージを前記表示部に表示させる
請求項１４に記載の設定機。
【請求項１８】
前記制御部は、前記複数の照明器具のうち一定台数の前記通信設定を終えた後、前記設定機の移動基準の補正を促すメッセージを前記表示部に表示させる
請求項１４に記載の設定機。
【請求項１９】
前記制御部は、前記複数の照明器具の配置を領域ごとに区分けして前記表示部に表示させ、前記区分けされた領域ごとに前記設定機の移動基準を決める
請求項１４に記載の設定機。
【請求項２０】
前記制御部は、前記表示部に表示されている前記設定機の位置にあわせて、前記レイアウト情報をスクロールし、前記表示部に表示させる
請求項１〜１９のいずれか１項に記載の設定機。
【請求項２１】
屋内に設置された複数の照明器具と、前記複数の照明器具を制御する複数の照明コントローラと、前記複数の照明器具と前記複数の照明コントローラとの通信設定を行う設定機とを備える照明システムであって、
前記設定機は、
前記複数の照明器具のうち通信設定対象である照明器具と通信する通信部と、
前記複数の照明器具のレイアウト情報を表示する表示部と、
前記屋内における前記設定機の移動方向および移動量を検出する検出部と、
前記設定機の移動方向および移動量に基づいて導き出された前記設定機の位置を、前記表示部に表示させる制御部と、
を備え、
前記制御部は、前記設定機の位置が前記通信設定対象である照明器具の設置位置を基準として規定範囲内にあるか否かを判断し、前記設定機の位置が前記規定範囲内にある場合に、前記通信部を介して前記通信設定対象である照明器具に前記通信設定を行い、
前記通信設定が行われた前記照明器具は、前記複数の照明コントローラのうちペアリング相手となる照明コントローラとペアリングを行う
照明システム。
【請求項２２】
前記制御部は、前記通信設定を行った後、当該照明器具の通信アドレスを取得し、当該照明器具のレイアウト情報と通信アドレスとの関連付けを行う
請求項２１に記載の照明システム。
【請求項２３】
前記制御部は、前記設定機が通信設定済みである前記照明器具の前記規定範囲内に入った場合に、前記通信部を介して、通信設定済である前記照明器具を点灯または点滅させる
請求項２１または２２に記載の照明システム。
【請求項２４】
設定機を用いて、屋内に設定された複数の照明器具に通信設定を行う、照明器具の通信設定方法であって、
前記複数の照明器具のレイアウト情報を前記設定機に表示するステップと、
前記屋内における前記設定機の移動方向および移動量を検出するステップと、
前記設定機の移動方向および移動量に基づいて前記設定機の位置を導出し、導出した前記設定機の位置を前記設定機に表示するステップと、
前記設定機の位置が通信設定対象である照明器具の設置位置を基準として規定範囲内にあるか否かを判断するステップと、
前記設定機の位置が前記規定範囲内にある場合に、前記設定機を用いて前記通信設定対象である照明器具に前記通信設定を行うステップと
を含む照明器具の通信設定方法。
【請求項２５】
請求項２４に記載の照明器具の通信設定方法をコンピュータに実行させるためのプログラム。
【発明の詳細な説明】
【技術分野】
【０００１】
本発明は、照明器具の通信設定を行う設定機、この設定機を含む照明システム、照明器具の通信設定方法、および、プログラムに関する。
【背景技術】
【０００２】
従来、複数の照明器具と、複数の照明器具を制御する照明コントローラと、モバイル機器とを備える照明システムが知られている（例えば特許文献１参照）。
【先行技術文献】
【特許文献】
【０００３】
【特許文献１】特表２０１７−５０７４５３号公報
【発明の概要】
【発明が解決しようとする課題】
【０００４】
この種の照明システムでは、複数の照明器具および複数の照明コントローラが建物に設置された後、モバイル機器を用いて照明器具にペアリング等の通信設定が行われる。しかしながら、この通信設定に関する作業において、ユーザが誤って通信設定対象でない照明器具に通信設定を行ってしまう場合がある。
【０００５】
そこで、本発明は、通信設定対象である照明器具に確実に通信設定を行うことができる設定機等を提供することを目的とする。
【課題を解決するための手段】
【０００６】
本発明の設定機の一態様は、屋内に設置された複数の照明器具に通信設定を行う設定機であって、前記複数の照明器具のうち通信設定対象である照明器具と通信する通信部と、前記複数の照明器具のレイアウト情報を表示する表示部と、前記屋内における前記設定機の移動方向および移動量を検出する検出部と、前記設定機の移動方向および移動量に基づいて導き出された前記設定機の位置を、前記レイアウト情報とともに前記表示部に表示させる制御部と、を備え、前記制御部は、前記設定機の位置が前記通信設定対象である照明器具の設置位置を基準として規定範囲内にあるか否かを判断し、前記設定機の位置が前記規定範囲内にある場合に、前記通信部を介して前記通信設定対象である照明器具に前記通信設定を行う。
【０００７】
また、本発明の照明システムの一態様は、屋内に設置された複数の照明器具と、前記複数の照明器具を制御する複数の照明コントローラと、前記複数の照明器具と前記複数の照明コントローラとの通信設定を行う設定機とを備える照明システムであって、前記設定機は、前記複数の照明器具のうち通信設定対象である照明器具と通信する通信部と、前記複数の照明器具のレイアウト情報を表示する表示部と、前記屋内における前記設定機の移動方向および移動量を検出する検出部と、前記設定機の移動方向および移動量に基づいて導き出された前記設定機の位置を、前記表示部に表示させる制御部と、を備え、前記制御部は、前記設定機の位置が前記通信設定対象である照明器具の設置位置を基準として規定範囲内にあるか否かを判断し、前記設定機の位置が前記規定範囲内にある場合に、前記通信部を介して前記通信設定対象である照明器具に前記通信設定を行い、前記通信設定が行われた前記照明器具は、前記複数の照明コントローラのうちペアリング相手となる照明コントローラとペアリングを行う。
【０００８】
また、本発明の照明器具の通信設定方法の一態様は、設定機を用いて、屋内に設定された複数の照明器具に通信設定を行う、照明器具の通信設定方法であって、前記複数の照明器具のレイアウト情報を前記設定機に表示するステップと、前記屋内における前記設定機の移動方向および移動量を検出するステップと、前記設定機の移動方向および移動量に基づいて前記設定機の位置を導出し、導出した前記設定機の位置を前記設定機に表示するステップと、前記設定機の位置が通信設定対象である照明器具の設置位置を基準として規定範囲内にあるか否かを判断するステップと、前記設定機の位置が前記規定範囲内にある場合に、前記設定機を用いて前記通信設定対象である照明器具に前記通信設定を行うステップとを含む。
【０００９】
また、本発明のプログラムの一態様は、上記照明器具の通信設定方法をコンピュータに実行させるためのプログラムである。
【発明の効果】
【００１０】
通信設定対象である照明器具に確実に通信設定を行うことができる。
【図面の簡単な説明】
【００１１】
【図１】比較例の照明システムを示す概略図である。
【図２】比較例における照明器具の通信設定方法を示すフローチャートである。
【図３Ａ】実施の形態１に係る照明システムであって、照明システムが備える照明器具、照明コントローラおよび設定機を示す概略図である。
【図３Ｂ】実施の形態１に係る照明システムを上側から見た場合のレイアウト図である。
【図３Ｃ】実施の形態１に係る設定機の概略平面図である。
【図４】実施の形態１に係る照明器具、照明コントローラおよび設定機の制御構成を示すブロック図である。
【図５】実施の形態１に係る設定機の表示部に表示される設定機の位置、向きおよび移動軌跡を示す図である。
【図６】実施の形態１に係る照明器具の通信設定方法を示すフローチャートである。
【図７Ａ】実施の形態１の設定機に表示される画面の一例を示す図である。
【図７Ｂ】図７Ａに引き続き、実施の形態１の設定機に表示される画面の一例を示す図である。
【図７Ｃ】図７Ｂに引き続き、実施の形態１の設定機に表示される画面の一例を示す図である。
【図８】実施の形態１の変形例１の設定機に表示される画面の一例を示す図である。
【図９】実施の形態１の変形例２の設定機に表示される画面の一例を示す図である。
【図１０】実施の形態２に係る設定機であって、設定機の移動基準を補正する場合に表示される画面の一例を示す図である。
【図１１】実施の形態２に係る設定機であって、設定機の向きを補正する場合に表示される画面の一例を示す図である。
【図１２】実施の形態２の設定機に表示される画面の他の一例を示す図である。
【図１３】実施の形態２の設定機に表示される画面のさらに他の一例を示す図である。
【発明を実施するための形態】
【００１２】
（発明に至る経緯）
まず、図１および図２を参照しながら、本発明に至る経緯について説明する。図１は、比較例の照明システム５００を示す概略図である。
【００１３】
照明システム５００は、複数の照明器具Ｌ１１〜Ｌ１９と、複数の照明コントローラ８１Ａ、８２Ａと、タブレット端末などの設定機５９０とを備える。建物の天井などに照明器具Ｌ１１〜Ｌ１９および照明コントローラ８１Ａ、８２Ａを設定した直後は、ペアリング等の通信設定が行われておらず、照明コントローラ８１Ａ、８２Ａで照明器具Ｌ１１〜Ｌ１９を制御できない状態にある。そこで、設定機５９０を用いて照明器具Ｌ１１〜Ｌ１９に通信設定を行う。
【００１４】
この通信設定は、例えば、図２に示す各ステップによって実行される。図２は、比較例の照明器具Ｌ１１〜Ｌ１９の通信設定方法を示すフローチャートである。
【００１５】
まず、設定機５９０の表示部５９０ｄに通信設定対象である照明器具（例えば照明器具Ｌ１１）が表示される（Ｓ５１１）。次に、ユーザが設定機５９０を持ちながら照明器具Ｌ１１の真下の位置に移動する（Ｓ５１２）。次に、設定機５９０から発信される無線ｒ１を用いて照明器具Ｌ１１に通信設定を行う（Ｓ５１３）。そして、これらのステップＳ５１１〜Ｓ５１３を照明器具Ｌ１１〜Ｌ１９のそれぞれに実行することで、全照明器具Ｌ１１〜Ｌ１９に対する通信設定を終了する。
【００１６】
しかし、上記に示す通信設定方法では、ユーザが誤って通信設定対象でない照明器具（例えば照明器具Ｌ１２）の位置に移動し、通信設定を行う場合がある。
【００１７】
本実施の形態では、設定機の位置が通信設定対象である照明器具の位置と一致しているか否かを設定機で判断し、一致している場合に通信設定を行う態様となっている。これによって、通信設定対象である照明器具に確実に通信設定を行うことができる。
【００１８】
以下、実施の形態に係る設定機、照明システム、照明器具の通信設定方法およびプログラムについて、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１９】
なお、各図は、模式図であり、必ずしも厳密に図示されたものではない。また、各図において、実質的に同一の構成に対しては同一の符号を付しており、重複する説明は省略または簡略化する。
【００２０】
（実施の形態１）
［１．照明システムの全体構成］
図３Ａおよび図３Ｂを参照しながら、実施の形態１に係る照明システム１００の全体構成について説明する。
【００２１】
図３Ａは、実施の形態１に係る照明システム１００であって、照明システム１００が備える照明器具、照明コントローラ８１Ａ、８２Ａおよび設定機９０示す図である。図３Ｂは、照明システム１００を上側から見た場合のレイアウト図である。
【００２２】
照明システム１００は、複数の照明器具Ｌ１１〜Ｌ１９、Ｌ２１〜Ｌ２９、Ｌ３１〜Ｌ３９、Ｌ４１〜Ｌ４９、Ｌ５１〜Ｌ５９、Ｌ６１〜Ｌ６９、Ｌ７１〜Ｌ７９と、照明コントローラ８１Ａ、８２Ａと、設定機９０とを備える。なお、図３Ｂでは、照明器具の符号の付記を一部省略している。
【００２３】
図３Ａでは９台の照明器具Ｌ１１〜Ｌ１９が示され、図３Ｂでは６３台の照明器具Ｌ１１〜Ｌ７９が示されているが、これらの図は一例であり、実際は屋内に１００台以上の照明器具が設置されることがある。以下、照明器具Ｌ１１〜Ｌ７９の一部または全部を指して照明器具Ｌと呼ぶ場合がある。複数の照明器具Ｌは、図３Ｂに示すように、行列状に配置されている。各照明コントローラ８１Ａ、８２Ａは、２以上の照明器具Ｌの間に配置されている。
【００２４】
複数の照明器具Ｌのそれぞれと、照明コントローラ８１Ａ、８２Ａとは、無線ｒ２によって通信可能となっている。無線ｒ２による通信方式としては、９２０ＭＨｚ帯または２．４ＧＨｚ帯の周波数を利用した特定小電力無線、Zigbee（登録商標）、Bluetooth（登録商標）、または、WiFi（登録商標）などの方式が用いられる。
【００２５】
設定機９０と照明コントローラ８１Ａ、８２Ａとは、無線ｒ３によって通信可能となっている。無線ｒ３による通信方式としては、無線ｒ２と同様の方式が用いられる。
【００２６】
また、設定機９０は、赤外線などの指向性を有する無線ｒ１によって、複数の照明器具Ｌのそれぞれと通信可能となっている。例えば、照明器具Ｌ１１の近くに設定機９０を配置し、照明器具Ｌ１１に向けて無線ｒ１で信号を発信することで、対象とする照明器具Ｌ１１のみに情報を送信することができる。照明器具Ｌのそれぞれは、設定機９０から送信された信号を個別に受信することができるように、例えば、５ｍほど間隔をあけて天井に設置されている。なお、無線ｒ１は、赤外線に限られず、レーザ光またはＮＦＣ（Near  Field  Communication）などの指向性を有する無線であってもよい。
【００２７】
照明システム１００では、設定機９０から発信される無線ｒ１を用いて、各照明器具Ｌに個別に通信設定を行うことができる。なお、本実施の形態における通信設定とは、ペアリングおよびマッピングに必要な情報を各照明器具Ｌに設定することである。ペアリングとは、相手の通信アドレスを互いに保存し合うことである。ペアリングすることで、相手から送信された情報を受け付けることができ、例えば、照明コントローラ８１Ａで照明器具Ｌ１１の点灯制御をすることが可能となる。また、マッピングとは、照明器具Ｌのレイアウト情報と、照明器具Ｌの通信アドレスとの関連付けをすることである。マッピングすることで、配置場所に応じた照明器具Ｌの点灯制御をすることが可能となる。
【００２８】
［２．照明システムの各構成］
次に、照明システム１００を構成する照明器具Ｌ、照明コントローラ８１Ａ、８２Ａおよび設定機９０について説明する。
【００２９】
図３Ｃは、設定機９０の概略平面図である。図４は、照明器具Ｌ、照明コントローラ８１Ａおよび設定機９０の制御構成を示すブロック図である。なお、図４では、照明器具Ｌ１１〜Ｌ７９のうち照明器具Ｌ１１を代表例に挙げ、また、照明コントローラ８１Ａ、８２Ａのうち照明コントローラ８１Ａを代表例に挙げて示している。
【００３０】
照明器具Ｌ１１は、例えば、シーリングライトであり、建物の造営材の一例である天井などに設置される。照明器具Ｌ１１は、図４に示すように、制御部１０ｃと、制御部１０ｃに接続されている点灯部１０ｄ、通信部１０ａおよび通信部１０ｂとを備えている。
【００３１】
通信部１０ａは、例えば赤外線受信器であり、設定機９０から発信された無線ｒ１を受信する。通信部１０ｂは、アンテナおよび無線モジュールなどにより構成され、照明コントローラ８１Ａと無線ｒ２で通信する。
【００３２】
点灯部１０ｄは、例えば、白色光、赤色光、緑色光または青色光を発する複数の発光ダイオードを含んでいる。
【００３３】
制御部１０ｃは、点灯部１０ｄを調光制御および／または調色制御する。制御部１０ｃは、ＣＰＵ（central  processing  unit）、ＲＡＭ（Random  Access  Memory）およびＲＯＭ（read  only  memory）などによって構成される。制御部１０ｃには、照明器具Ｌ１１の通信アドレスが保存されている。通信アドレスとしては、照明器具Ｌ１１のＭＡＣアドレス（Media  Access  Control  address）またはＵＤＩＤ（Unique  Device  IDentifier）などが一例として挙げられる。制御部１０ｃは、通信部１０ａを介して、設定機９０から通信設定に関する情報を受け付けた後、通信部１０ｂを介して、ペアリング相手である照明コントローラ８１Ａに自身の通信アドレスを送信する。
【００３４】
照明コントローラ８１Ａは、照明器具Ｌ１１を点灯制御する。照明コントローラ８１Ａは、図４に示すように、制御部８０ｃと、制御部８０ｃに接続されている通信部８０ｂとを備えている。
【００３５】
通信部８０ｂは、アンテナおよび無線モジュールなどにより構成され、照明器具Ｌ１１と無線ｒ２で通信する。また、通信部８０ｂは、設定機９０と無線ｒ３で通信する。
【００３６】
制御部８０ｃは、ＣＰＵ、ＲＡＭおよびＲＯＭなどにより構成される。制御部１０ｃには、照明コントローラ８１Ａの通信アドレスが保存されている。制御部８０ｃは、通信部８０ｂを介して、照明器具Ｌ１１の通信アドレスを取得した後、自身の通信アドレスを照明器具Ｌ１１に送り返すことで、照明器具Ｌ１１とのペアリングを行う。
【００３７】
設定機９０は、例えば、タブレット端末またはスマートフォンである。設定機９０は、図３Ｃおよび図４に示すように、制御部９０ｃと、制御部９０ｃに接続されている通信部９０ａ、通信部９０ｂ、表示部９０ｄおよび検出部９０ｅとを備えている。設定機９０の表示部９０ｄは、例えばタッチパネルであり、通知部９０ｆ、設定入力部９０ｇ、位置入力部９０ｈおよび補正入力部９０ｉを有している。
【００３８】
通信部９０ａは、例えば赤外線送信器であり、複数の照明器具Ｌのうち通信設定対象である１つの照明器具（例えば照明器具Ｌ１１）と無線ｒ１で通信する。
【００３９】
通信部９０ｂは、アンテナおよび無線モジュールなどにより構成され、無線ｒ３によって照明コントローラ８１Ａと通信する。
【００４０】
表示部９０ｄは、図３Ｃに示すように、照明器具Ｌおよび照明コントローラ８１Ａ、８２Ａのレイアウト情報を表示する。レイアウト情報は、例えば、屋内における各照明器具Ｌおよび照明コントローラ８１Ａ、８２Ａの配置関係を表す地図情報である。レイアウト情報として、表示部９０ｄには、各照明器具Ｌに１対１で対応する各マークが表示される。各マークには、各照明器具Ｌに１対１で対応する各識別情報が表示される。例えば、屋内における照明器具Ｌ１１の位置に対応する表示部９０ｄの位置に四角状のマークが表示され、そのマーク内に、照明器具Ｌ１１に対応する識別情報「１１」が表示される。この識別情報は、各照明器具Ｌを区別するためにユーザが決める簡易的な数字、文字または記号である。
【００４１】
検出部９０ｅは、屋内における設定機９０の移動方向および移動量を検出するセンサモジュールである。検出部９０ｅは、例えば、地磁気センサおよび加速度センサを有する。検出部９０ｅは、地磁気センサによって設定機９０が現在向いている方角を検出し、および、加速度センサによって移動基準からの設定機９０の移動量を検出する。図３Ｃにおいて、設定機９０が向いている方角は、設定機９０のケースの右側に示された二等辺三角形の頂点の向きである。設定機９０の移動量を求めるための移動基準は、後述する位置入力部９０ｈによって入力される位置である。
【００４２】
制御部９０ｃは、ＣＰＵ、ＲＡＭおよびＲＯＭなどにより構成される。制御部９０ｃには、上記レイアウト情報、および、照明器具Ｌの識別情報が保存されている。また、制御部９０ｃには、設定機９０の通信アドレス、および、照明コントローラ８１Ａ、８２Ａの通信アドレスが保存されている。また、制御部９０ｃには、前述した通信設定を行うためのプログラムが保存されている。
【００４３】
制御部９０ｃは、検出部９０ｅで検出した移動方向および移動量に基づいて、設定機９０の現在の位置を演算により導き出し、導き出した設定機９０の位置をレイアウト情報に重畳させ、レイアウト情報とともに表示部９０ｄに表示させる。
【００４４】
図５は、表示部９０ｄに表示される設定機９０の位置、向きおよび移動軌跡を示す図である。図５では、設定機９０の位置が、表示部９０ｄ内の矢印の先端で表され、設定機９０の向きが、上記矢印の向きで表され、設定機９０の移動軌跡が、移動基準から現在位置へとつながる経路で表されている。なお上記移動基準は、図５の（ａ）に示すように、表示部９０ｄにおける位置入力部９０ｈの所定の位置をタッチすることで入力される。入力された移動基準は、前述した制御部９０ｃに保存される。
【００４５】
図３Ｃに示すように、制御部９０ｃは、表示部９０ｄに、通信設定対象である照明器具Ｌ１１と、照明器具Ｌ１１の設置位置を基準とする規定範囲Ｔ１とを表示させる。規定範囲Ｔ１は、設定機９０を用いて通信設定を行う場合に、通信設定対象でない照明器具に通信設定されないように定められた範囲であり、規定範囲Ｔ１外では通信設定を行うことができないようになっている。この規定範囲Ｔ１は、図３Ｃにおける破線円で示され、例えば、照明器具Ｌ１１の中心位置を基準として半径１ｍ以内の範囲に定められる。
【００４６】
制御部９０ｃは、設定機９０の位置が通信設定対象である照明器具Ｌ１１の設置位置を基準として規定範囲Ｔ１内にあるか否かを判断する。具体的には、表示部９０ｄに表示された設定機９０の矢印の先端が、規定範囲Ｔ１内に位置するか否かを判断する。そして、制御部９０ｃは、設定機９０の位置が規定範囲Ｔ１内にある場合に、照明器具Ｌ１１に対して通信設定が可能な位置であることを、通知部９０ｆに通知させる。この通知部９０ｆへの通知方法については後述する。
【００４７】
また、制御部９０ｃは、設定機９０の位置が規定範囲Ｔ１内にある場合において、表示部９０ｄに、通信設定を行うための設定入力部９０ｇを表示させる。そして、制御部９０ｃは、設定入力部９０ｇから通信設定に関する入力を受け付けた後、上記通信設定を行う。
【００４８】
その際、制御部９０ｃは、ペアリングおよびマッピングに必要な情報を照明器具Ｌ１１に送信する。具体的に制御部９０ｃは、照明器具Ｌ１１に、ペアリング相手となる照明コントローラ８１Ａの通信アドレスを送信し、また、レイアウト情報に対応した当該照明器具Ｌ１１の識別情報「１１」を送信する。
【００４９】
このように照明システム１００では、設定機９０の位置が通信設定対象である照明器具Ｌ１１の規定範囲Ｔ１内にあるか否かを制御部９０ｃで判断し、規定範囲Ｔ１内にある場合に通信設定を行う。これにより、通信設定対象である照明器具Ｌ１１に確実に通信設定を行うことができる。
【００５０】
［３．照明器具の通信設定方法］
次に、図６〜図７Ｃを参照しつつ、照明器具Ｌの通信設定方法について説明する。図６は、照明器具Ｌの通信設定方法を示すフローチャートである。図７Ａは、設定機９０に表示される画面の一例を示す図である。図７Ｂは、図７Ａに引き続き、設定機９０に表示される画面の一例を示す図である。図７Ｃは、図７Ｂに引き続き、設定機９０に表示される画面の一例を示す図である。
【００５１】
なおここでは、図７Ａに示すように、照明器具Ｌ１１の通信設定が終了し、次の通信設定対象である照明器具Ｌ１２の通信設定を行う場面について説明する。図７Ａの表示部９０ｄには、設定機９０の現在の位置が表示されている。
【００５２】
まず、設定機９０の制御部９０ｃは、表示部９０ｄに、通信設定対象である照明器具Ｌ１２を表示させる（Ｓ１１）。具体的に制御部９０ｃは、照明器具Ｌ１２に対応する識別情報「１２」が付されたマークを、他の識別情報のマークと異なる色で表示させる。また、識別情報「１２」が付されたマークを中心として、破線円で示す規定範囲Ｔ１を表示させる。
【００５３】
また、制御部９０ｃは、表示部９０ｄ内の通知部９０ｆに、ユーザに対するメッセージ「通信設定対象である照明器具の位置に移動してください」を表示させる。ユーザは、このメッセージにしたがい、設定機９０を照明器具Ｌ１２の真下の位置に移動させる。
【００５４】
次に制御部９０ｃは、設定機９０の位置が、規定範囲Ｔ１にあるか否かを判断する（Ｓ１２）。具体的には、表示部９０ｄに示された矢印の先端が、規定範囲Ｔ１内に入っているか否かを判断する。設定機９０の位置が規定範囲Ｔ１になければ待機状態を維持する（Ｓ１２のＮｏ）。設定機９０の位置が規定範囲Ｔ１内にある場合（Ｓ１２のＹｅｓ）、制御部９０ｃは、通信設定が可能な位置であることを通知部９０ｆに通知させる（Ｓ１３）。
【００５５】
具体的には図７Ｂに示すように、制御部９０ｃは、通知部９０ｆに、設定機９０の位置が規定範囲Ｔ１内にあること表示させる。また、識別情報「１２」が付された四角マークを、ステップＳ１１で表示した色と異なる色で表示させる。これにより制御部９０ｃは、設定機９０の位置が規定範囲Ｔ１内にあることを通知させる。
【００５６】
なお、通知部９０ｆは、表示部９０ｄによる画面上の出力に限られない。例えば、通知部９０ｆは、設定機９０が備えるバイブレータであってもよい。その場合、制御部９０ｃは、設定機９０の位置が規定範囲Ｔ１内にある場合に、バイブレータを振動させる。また、通知部９０ｆは、設定機９０が備えるスピーカであってもよい。その場合、制御部９０ｃは、設定機９０の位置が規定範囲Ｔ１内にある場合に、スピーカから音を出力させる。
【００５７】
これらにより、通知部９０ｆは、設定機９０による通信設定が可能な位置、すなわち、今の位置で通信設定を行えば対象外の照明器具に通信設定されにくいことを通知する。このように制御部９０ｃは、設定機９０の位置が規定範囲Ｔ１内にある場合において、通信設定を行う前に、通知部９０ｆに発光、振動または発音を行わせてもよい。
【００５８】
また、制御部９０ｃは、設定機９０の位置が規定範囲Ｔ１内にある場合において、表示部９０ｄに設定入力部９０ｇを表示させる。制御部９０ｃは、設定入力部９０ｇから通信設定に関する入力を受け付けた後、通信設定を行う（Ｓ１４）。なお、上記では設定入力部９０ｇによる入力を受け付けた後、通信設定を行う例を示したが、それに限られない。例えば、制御部９０ｃは、設定機９０の位置が規定範囲Ｔ１にある場合に、自動で通信設定を行ってもよい。
【００５９】
通信設定を行う際、制御部９０ｃは、ペアリングおよびマッピングに必要な情報を照明器具Ｌ１２に送信する。具体的に制御部９０ｃは、照明器具Ｌ１２に、ペアリング相手となる照明コントローラ８１Ａの通信アドレスを送信し、また、レイアウト情報に対応した当該照明器具Ｌ１２の識別情報「１２」を送信する。
【００６０】
ペアリングが行われる際、照明器具Ｌ１２は、自身の通信アドレスを読み出して照明コントローラ８１Ａに送信する。照明コントローラ８１Ａは、受信した照明器具Ｌ１２の通信アドレスを制御部８０ｃに保存し、また、自身の通信アドレスを照明器具Ｌ１２に送信する。このように、照明器具Ｌ１２と照明コントローラ８１Ａとが互いに相手の通信アドレスを保存することでペアリングが終了する。
【００６１】
マッピングが行われる際、照明器具Ｌ１２は、設定機９０から送信された識別情報「１２」を照明コントローラ８１Ａに送信する。照明コントローラ８１Ａは、受信した識別情報「１２」と照明器具Ｌ１２の通信アドレスとを関連付けた状態で、無線ｒ３を用いて設定機９０に送信する。設定機９０の制御部９０ｃは、通信部９０ｂを介して照明器具Ｌ１２の通信アドレスを取得し、照明器具Ｌ１２のレイアウト情報と通信アドレスとの関連付けを行う。これにより、マッピングが終了する。
【００６２】
照明器具Ｌ１２の通信設定を行った後、制御部９０ｃは、図７Ｃに示すように、通知部９０ｆに、通信設定が終了したことを示すメッセージを表示させる。また、制御部９０ｃは、識別情報「１２」が付されたマークの表示を変化させ、例えば図７Ｃに示すように、マークの外枠を通信設定前よりも太く表示させる。設定入力部９０ｇの「次」ボタンが押下されると、制御部９０ｃは、表示部９０ｄに次の通信設定対象である照明器具Ｌ１３を表示させる。
【００６３】
このようにして、ステップＳ１１〜Ｓ１４を全照明器具Ｌに対して実行することで（Ｓ１５のＹｅｓ）、全照明器具Ｌに対する通信設定が終了する。
【００６４】
なお、制御部９０ｃは、設定機９０が通信設定済みである照明器具（例えば照明器具Ｌ１２）の規定範囲Ｔ１内に入った場合に、通信部９０ａを介して、通信設定済である照明器具Ｌ１２を点灯または点滅させてもよい。
【００６５】
［４．効果等］
本実施の形態に係る設定機９０は、屋内に設置された複数の照明器具Ｌに通信設定を行う設定機９０であって、複数の照明器具Ｌのうち通信設定対象である照明器具（例えば照明器具Ｌ１１）と通信する通信部９０ａと、複数の照明器具Ｌのレイアウト情報を表示する表示部９０ｄと、屋内における設定機９０の移動方向および移動量を検出する検出部９０ｅと、設定機９０の移動方向および移動量に基づいて導き出された設定機９０の位置を、レイアウト情報とともに表示部９０ｄに表示させる制御部９０ｃと、を備える。制御部９０ｃは、設定機９０の位置が通信設定対象である照明器具Ｌ１１の設置位置を基準として規定範囲Ｔ１内にあるか否かを判断し、設定機９０の位置が規定範囲Ｔ１内にある場合に、通信部９０ａを介して通信設定対象である照明器具に通信設定を行う。
【００６６】
このように、設定機９０の位置が通信設定対象である照明器具Ｌ１１の規定範囲Ｔ１内にあるか否かを設定機９０の制御部９０ｃで判断し、規定範囲Ｔ１内にある場合に通信設定を行うことで、通信設定対象である照明器具Ｌ１１に確実に通信設定を行うことができる。
【００６７】
なお、実施の形態１では、設定機９０の位置が制御部９０ｃの演算によって導き出されている例を示したが、それに限られない。例えば、設定機９０は、検出部９０ｅで得られた情報を外部サーバに送信し、外部サーバの演算によって導出された値を設定機９０の位置としてもよい。
【００６８】
また、制御部９０ｃは、通信部９０ａを介して通信設定対象である照明器具Ｌ１１に、照明器具Ｌ１１を制御する照明コントローラ（例えば照明コントローラ８１Ａ）の通信アドレスを送信し、かつ、レイアウト情報に対応した照明器具Ｌ１１の識別情報を送信することで、通信設定を行ってもよい。
【００６９】
このように、制御部９０ｃが、照明器具Ｌ１１に照明コントローラ８１Ａの通信アドレスを伝えることで、照明器具Ｌ１１と照明コントローラ８１Ａとのペアリングを行うことができる。また、制御部９０ｃが、照明器具Ｌ１１に上記識別情報を伝えることで、制御部９０ｃが照明器具Ｌ１１の通信アドレスを取得することが可能となり、照明器具Ｌ１１のレイアウト情報と通信アドレスとの関連付けをすることができる。
【００７０】
また、設定機９０は、通信設定が可能な位置であることを通知する通知部９０ｆを備え、制御部９０ｃは、設定機９０の位置が規定範囲Ｔ１内にある場合において、通信設定を行う前に、通知部９０ｆに通信設定が可能な位置であることを通知させてもよい。
【００７１】
これによれば、設定機９０が通信設定可能な位置であることをユーザが把握できるので、通信設定対象である照明器具Ｌ１１に確実に通信設定を行うことができる。
【００７２】
また、制御部９０ｃは、設定機９０の位置が規定範囲Ｔ１内にある場合において、通信設定を行う前に、通知部９０ｆに発光、振動および発音のうち少なくとも一つを行わせてもよい。
【００７３】
これによれば、設定機９０が通信設定可能な位置であることをユーザが把握しやすくなるので、通信設定対象である照明器具Ｌ１１に確実に通信設定を行うことができる。
【００７４】
また、通知部９０ｆは、表示部９０ｄに含まれ、制御部９０ｃは、設定機９０の位置が規定範囲Ｔ１内にある場合において、通信設定を行う前に、通知部９０ｆに所定のメッセージを表示させてもよい。
【００７５】
これによれば、設定機９０が通信設定可能な位置であることをユーザが目視で把握できるので、通信設定対象である照明器具Ｌ１１に確実に通信設定を行うことができる。
【００７６】
また、通知部９０ｆは、表示部９０ｄに含まれ、制御部９０ｃは、設定機９０の位置が規定範囲Ｔ１内にある場合において、通信設定を行う前に、通知部９０ｆにおける通信設定対象である照明器具Ｌ１１に対応する表示を他の照明器具（例えば照明器具Ｌ１２）に対応する表示と異ならせてもよい。
【００７７】
これによれば、設定機９０が通信設定可能な位置であることをユーザが目視で把握できるので、通信設定対象である照明器具Ｌ１１に確実に通信設定を行うことができる。
【００７８】
また、通知部９０ｆは、バイブレータであり、制御部９０ｃは、設定機９０の位置が規定範囲Ｔ１内にある場合において、通信設定を行う前に、バイブレータを振動させてもよい。
【００７９】
これによれば、設定機９０が通信設定可能な位置であることをユーザが振動で把握できるので、通信設定対象である照明器具Ｌ１１に確実に通信設定を行うことができる。
【００８０】
また、通知部９０ｆは、スピーカであり、制御部９０ｃは、設定機９０の位置が規定範囲Ｔ１内にある場合において、通信設定を行う前に、スピーカから音を出力させてもよい。
【００８１】
これによれば、設定機９０が通信設定可能な位置であることをユーザが音で把握できるので、通信設定対象である照明器具Ｌ１１に確実に通信設定を行うことができる。
【００８２】
また、制御部９０ｃは、設定機９０の位置が規定範囲Ｔ１内にある場合において、通信設定を行う前に、表示部９０ｄに通信設定を行う設定入力部９０ｇを表示させ、設定入力部９０ｇを介して通信設定に関する入力を受け付けた後、通信設定を行ってもよい。
【００８３】
これによれば、設定機９０が通信設定可能な位置であることをユーザが把握して、通信設定を入力することができるので、通信設定対象である照明器具Ｌ１１に確実に通信設定を行うことができる。
【００８４】
また、制御部９０ｃは、設定機９０の位置が規定範囲Ｔ１内にある場合に、自動で、通信設定を行ってもよい。
【００８５】
これによれば、迅速に、通信設定対象である照明器具Ｌ１１に通信設定を行うことができる。
【００８６】
また、通信部９０ａは、指向性を有する通信を用いて通信設定対象である照明器具Ｌ１１と通信してもよい。
【００８７】
これによれば、通信設定対象である照明器具Ｌ１１に確実に通信設定に関する信号を送信することができる。
【００８８】
また、制御部９０ｃは、設定機９０の移動方向および移動量に基づいて、設定機９０の移動軌跡および設定機９０が向いている方角を表示部９０ｄに表示させてもよい。
【００８９】
これによれば、レイアウト情報上における設定機９０の位置および向きをユーザが把握できるので、通信設定対象である照明器具Ｌ１１に確実に通信設定を行うことができる。
【００９０】
また、検出部９０ｅは、移動方向を検出するための磁気センサ、および、移動量を検出するための加速度センサを含んでいてもよい。
【００９１】
検出部９０ｅが、磁気センサおよび加速度センサを含むことで、設定機９０の移動方向および移動量を正確に把握することができる。また検出部９０ｅとして磁気センサおよび加速度センサを用いることで、ＧＰＳ（Global  Positioning  System）方式と異なり、屋内においても設定機９０の位置を検出することができる。
【００９２】
また、設定機９０は、屋内における設定機９０の位置を入力する位置入力部９０ｈをさらに備え、制御部９０ｃは、位置入力部９０ｈにて入力された位置を設定機９０の移動基準とし、検出部９０ｅは、移動基準からの設定機９０の移動量を検出してもよい。
【００９３】
これによれば、設定機９０の位置を正確に求めることができるので、通信設定対象である照明器具Ｌ１１に確実に通信設定を行うことができる。
【００９４】
本実施の形態に係る照明システム１００は、屋内に設置された複数の照明器具Ｌと、複数の照明器具Ｌを制御する複数の照明コントローラ８１Ａ、８２Ａと、複数の照明器具Ｌと複数の照明コントローラ８１Ａ、８２Ａとの通信設定を行う設定機９０とを備える。設定機９０は、複数の照明器具Ｌのうち通信設定対象である照明器具（例えば照明器具Ｌ１１）と通信する通信部９０ａと、複数の照明器具Ｌ１１のレイアウト情報を表示する表示部９０ｄと、屋内における設定機９０の移動方向および移動量を検出する検出部９０ｅと、設定機９０の移動方向および移動量に基づいて導き出された設定機９０の位置を、表示部９０ｄに表示させる制御部９０ｃと、を備える。制御部９０ｃは、設定機９０の位置が通信設定対象である照明器具Ｌ１１の設置位置を基準として規定範囲Ｔ１内にあるか否かを判断し、設定機９０の位置が規定範囲Ｔ１内にある場合に、通信部９０ａを介して通信設定対象である照明器具Ｌ１１に通信設定を行い、通信設定が行われた照明器具Ｌ１１は、複数の照明コントローラ８１Ａ、８２Ａのうちペアリング相手となる照明コントローラ（例えば照明コントローラ８１Ａ）とペアリングを行う。
【００９５】
このように照明システム１００では、設定機９０の位置が通信設定対象である照明器具Ｌ１１の規定範囲Ｔ１内にあるか否かを制御部９０ｃで判断し、規定範囲Ｔ１内にある場合に通信設定を行う。これにより、通信設定対象である照明器具Ｌ１１に確実に通信設定を行うことができる。また、照明器具Ｌ１１と照明コントローラ８１Ａとのペアリングを確実に行うことができる。
【００９６】
また、制御部９０ｃは、通信設定を行った後、照明器具Ｌ１１の通信アドレスを取得し、照明器具Ｌ１１のレイアウト情報と通信アドレスとの関連付けを行ってもよい。
【００９７】
このように、制御部９０ｃが、通信設定を行った後、照明器具Ｌ１１の通信アドレスを取得することで、照明器具Ｌ１１のレイアウト情報と通信アドレスとの関連付け、すなわちマッピングをすることができる。
【００９８】
また、制御部９０ｃは、設定機９０が通信設定済みである照明器具（例えば照明器具Ｌ１１）の規定範囲Ｔ１内に入った場合に、通信部９０ａを介して、通信設定済である照明器具Ｌ１１を点灯または点滅させてもよい。
【００９９】
これによれば、ユーザが通信設定済みである照明器具Ｌ１１を視覚的に把握することができ、通信設定が重複することを抑制できる。
【０１００】
本実施の形態に係る照明器具Ｌの通信設定方法は、設定機９０を用いて、屋内に設定された複数の照明器具Ｌに通信設定を行う、照明器具Ｌの通信設定方法であって、複数の照明器具Ｌのレイアウト情報を設定機９０に表示するステップと、屋内における設定機９０の移動方向および移動量を検出するステップと、設定機９０の移動方向および移動量に基づいて設定機９０の位置を導出し、導出した設定機９０の位置を設定機９０に表示するステップと、設定機９０の位置が通信設定対象である照明器具（例えば照明器具Ｌ１１）の設置位置を基準として規定範囲Ｔ１内にあるか否かを判断するステップと、設定機９０の位置が規定範囲Ｔ１内にある場合に、設定機９０を用いて通信設定対象である照明器具Ｌ１１に通信設定を行うステップとを含む。
【０１０１】
このように照明器具Ｌの通信設定方法では、設定機９０の位置が通信設定対象である照明器具Ｌ１１の規定範囲Ｔ１内にあるか否かを判断するステップを有し、規定範囲Ｔ１内にある場合に通信設定を行うので、通信設定対象である照明器具Ｌ１１に確実に通信設定を行うことができる。
【０１０２】
本実施の形態に係るプログラムは、照明器具Ｌの通信設定方法をコンピュータに実行させるためのプログラムである。すなわち本実施の形態に係るプログラムは、屋内に設定された複数の照明器具Ｌに通信設定を行うためのプログラムであって、複数の照明器具Ｌのレイアウト情報を設定機９０に表示するステップと、屋内における設定機９０の移動方向および移動量を検出するステップと、設定機９０の移動方向および移動量に基づいて設定機９０の位置を導出し、導出した設定機９０の位置を設定機９０に表示するステップと、設定機９０の位置が通信設定対象である照明器具（例えば照明器具Ｌ１１）の設置位置を基準として規定範囲Ｔ１内にあるか否かを判断するステップと、設定機９０の位置が規定範囲Ｔ１内にある場合に、設定機９０を用いて通信設定対象である照明器具Ｌ１１に通信設定を行うステップとを含む。
【０１０３】
（実施の形態１の変形例１および変形例２）
実施の形態１の変形例１および変形例２は、設定機９０の制御部９０ｃが、表示部９０ｄに表示されている設定機９０の位置にあわせて、レイアウト情報をスクロールし、表示部９０ｄに表示させる形態である。
【０１０４】
図８は、実施の形態１の変形例１の設定機９０に表示される画面の一例を示す図である。変形例１では、図８の（ａ）のように、表示部９０ｄに表示される矢印が画面の右端に来たら、図８の（ｂ）のように、矢印がレイアウト情報とともに画面の左端に表示される。
【０１０５】
図９は、実施の形態１の変形例２の設定機９０に表示される画面の一例を示す図である。変形例２では、図９の（ａ）および（ｂ）のように、設定機９０が移動した場合に表示部９０ｄに表示される矢印が、常に画面の中央に位置するように表示される。
【０１０６】
このように、制御部９０ｃは、表示部９０ｄに表示されている設定機９０の位置にあわせて、レイアウト情報をスクロールし、表示部９０ｄに表示させてもよい。これによれば、レイアウト情報における設定機９０の位置をユーザが視覚的に把握しやすくなるので、通信設定対象である照明器具Ｌ１１に確実に通信設定を行うことができる。
【０１０７】
（実施の形態２）
実施の形態２は、設定機９０の移動基準の補正を行う形態である。実施の形態１の設定機９０では、移動基準に対する設定機９０の移動方向および移動量から設定機９０の位置を導出しているが、検出部９０ｅによる検出データの誤差が蓄積されると、設定機９０の位置が正確に表示されない場合がある。そこで、以下に示す方法によって、表示部９０ｄに表示される設定機９０の移動基準を補正する。
【０１０８】
図１０は、実施の形態２に係る設定機９０であって、設定機９０の移動基準を補正する場合に表示される画面の一例を示す図である。
【０１０９】
制御部９０ｃは、設定機９０の位置が前述した規定範囲Ｔ１内にある場合に、表示部９０ｄに、設定機９０の移動基準を補正する補正入力部９０ｉを表示させる。図１０には、照明器具Ｌ１４の通信設定が終了し、設定機９０が照明器具Ｌ１４の規定範囲Ｔ１内にある場合が示されている。表示部９０ｄの通知部９０ｆには、移動基準の補正を促すメッセージが表示される。例えばユーザが、照明器具Ｌ１４に対応する識別情報「１４」が付されたマークにタッチすることで、タッチした位置を移動基準として補正することができる。
【０１１０】
図１１は、実施の形態２に係る設定機９０であって、設定機９０の向きを補正する場合に表示される画面の一例を示す図である。
【０１１１】
制御部９０ｃは、設定機９０の位置が前述した規定範囲Ｔ１内にある場合に、表示部９０ｄに、設定機９０の向きを補正する補正入力部９０ｉを表示させる。図１１には、照明器具Ｌ１４の通信設定が終了し、設定機９０が照明器具Ｌ１４の規定範囲Ｔ１内にある場合が示されている。表示部９０ｄの通知部９０ｆには、向きの補正を促すメッセージが表示される。例えばユーザが、設定機９０の向きを表示部９０ｄの小さな矢印と同じ方角に向け、「補正」ボタン（設定入力部９０ｇ）を押下することで、設定機９０の向きを補正することができる。
【０１１２】
実施の形態２における制御部９０ｃは、設定機９０の位置が規定範囲Ｔ１内にある場合に、表示部９０ｄに、設定機９０の移動基準を補正する補正入力部９０ｉを表示させる。これによれば、補正入力部９０ｉを用いて移動基準を補正することが可能となる。これにより、設定機９０の位置を表示部９０ｄに正確に表すことができ、次の通信設定対象である照明器具（例えば照明器具Ｌ１５）に確実に通信設定を行うことができる。
【０１１３】
なお、制御部９０ｃは、通信設定を開始してから一定時間経過した後、設定機９０の移動基準の補正を促すメッセージを表示部９０ｄに表示させてもよい。一定時間とは、例えば１０分である。これによれば定期的に移動基準の補正を行うことが可能となり、設定機９０の位置を正確に表すことができる。
【０１１４】
また、制御部９０ｃは、複数の照明器具Ｌのうち一定台数の通信設定を終えた後、設定機９０の移動基準の補正を促すメッセージを表示部９０ｄに表示させてもよい。一定台数とは、例えば１０台の照明器具である。これによれば所定回数ごとに移動基準の補正を行うことが可能になり、設定機９０の位置を正確に表すことができる。
【０１１５】
また、制御部９０ｃは、図１２に示すように、通信設定を終え、さらに、通信設定対象である照明器具（例えば照明器具Ｌ１３）から通信設定の終了通知を受け取った後、設定機９０の移動基準を自動で補正してもよい。これによれば、こまめに移動基準の補正を行うことができ、設定機９０の位置を正確に表すことができる。
【０１１６】
また、制御部９０ｃは、複数の照明器具Ｌの配置を領域ごとに区分けして表示部９０ｄに表示させ、区分けされた領域ごとに移動基準を決めてもよい。例えば図１３では、照明器具Ｌ１１、Ｌ１２、Ｌ２１、Ｌ２２の領域と、照明器具Ｌ１３、Ｌ１４、Ｌ２３、Ｌ２４の領域とに区分けして、区分けした２つの領域ごとに移動基準を決めている。これによれば、区分けした領域ごとに移動基準を決めることができ、設定機９０の位置を表示部９０ｄに正確に表すことができる。
【０１１７】
（その他の形態）
なお、上記各実施の形態１、２において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１８】
また、上記で用いた数字は、全て本開示を具体的に説明するために例示するものであり、本開示の実施の形態は例示された数字に制限されない。
【０１１９】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェアまたはソフトウェアが並列または時分割に処理してもよい。
【０１２０】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【０１２１】
その他、実施の形態１、２に対して当業者が思いつく各種変形を施して得られる形態、本開示の趣旨を逸脱しない範囲で実施の形態１、２における構成要素および機能を任意に組み合わせることで実現される形態も本開示に含まれる。
【０１２２】
実施の形態１では、設定機９０が、照明コントローラ８１Ａを介して照明器具Ｌ１２の通信アドレスを取得する例を示したが、それに限られない。例えば、設定機９０が照明器具Ｌ１２に無線ｒ１で信号を送る際に、設定機９０の通信アドレスも含めて送信し、それを受信した照明器具Ｌ１２が、自身の通信アドレスを無線ｒ２で設定機９０に送信してもよい。この例でも、照明器具Ｌ１２のレイアウト情報と通信アドレスとの関連付けを行うことができる。
【０１２３】
なお、実施の形態１では、照明システム１００が、２つの照明コントローラ８１Ａ、８２Ａを有する例を示したが、それに限られない。例えば照明システム１００が、複数の照明コントローラ８１Ａ、８２Ａを束ねる親機コントローラをさらに有していてもよい。その場合、親機コントローラと設定機９０とが無線ｒ３で通信可能であってもよい。
【符号の説明】
【０１２４】
１１〜１９、２１〜２９、３１〜３９、４１〜４９、５１〜５９、６１〜６９、７１〜７９  照明器具の識別情報
８１Ａ、８２Ａ  照明コントローラ
９０    設定機
９０ａ、９０ｂ  通信部
９０ｃ  制御部
９０ｄ  表示部
９０ｅ  検出部
９０ｆ  通知部
９０ｇ  設定入力部
９０ｈ  位置入力部
９０ｉ  補正入力部
１００  照明システム
Ｌ、Ｌ１１〜Ｌ１９、Ｌ２１〜Ｌ２９、Ｌ３１〜Ｌ３９、Ｌ４１〜Ｌ４９、Ｌ５１〜Ｌ５９、Ｌ６１〜Ｌ６９、Ｌ７１〜Ｌ７９  照明器具
Ｔ１    規定範囲
【図１】
2019114335.tif 000003
【図２】
2019114335.tif 000004
【図３Ａ】
2019114335.tif 000005
【図３Ｂ】
2019114335.tif 000006
【図３Ｃ】
2019114335.tif 000007
【図４】
2019114335.tif 000008
【図５】
2019114335.tif 000009
【図６】
2019114335.tif 000010
【図７Ａ】
2019114335.tif 000011
【図７Ｂ】
2019114335.tif 000012
【図７Ｃ】
2019114335.tif 000013
【図８】
2019114335.tif 000014
【図９】
2019114335.tif 000015
【図１０】
2019114335.tif 000016
【図１１】
2019114335.tif 000017
【図１２】
2019114335.tif 000018
【図１３】
2019114335.tif 000019